(57)【要約】【課題】プロジェクションディスプレイ装置などが備えるランプとして、投影角度や投射範囲の調整のためにランプの設置位置を可変できる機構を設けた上で、そのランプを確実かつ簡単に冷却することができるようにする。【解決手段】ランプ９０に通じるランプ出口側ダクト１０１，１０２と、ランプに通じるランプ入口側ダクト１０４とを設ける。ランプ出口側ダクトの先端には、第１のジョイント部１０３を設ける。ランプ入口側ダクトの先端には、第２のジョイント部１０５を設ける。第１のジョイント部と第２のジョイント部は、それぞれ別のパイプ１１０，１２０を可動可能に接続し、そのパイプを介して、冷却機構部２００に接続する。そして、冷却機構部により冷却された気体がランプ９０との間で循環する構成とした。【選択図】図６
2008076900.tif 000002
【特許請求の範囲】
【請求項１】
ランプを冷却するランプ冷却装置において、
前記ランプに通じるランプ出口側ダクトと、
前記ランプに通じるランプ入口側ダクトと、
前記ランプ出口側ダクトの先端に設けた第１のジョイント部と、
前記ランプ入口側ダクトの先端に設けた第２のジョイント部と、
前記第１のジョイント部に一端が可動可能に接続される第1のパイプと、
前記第1のパイプの他端が可動可能に接続される第３のジョイント部と、
前記第３のジョイント部に接続されたて気体の冷却を行う冷却機構部と、
前記冷却機構部により冷却された気体を出力する出力部に接続された第４のジョイント部と、
前記第４のジョイント部に一端が可動可能に接続され、他端が前記第２のジョイント部に可動可能に接続される第２のパイプとを備え、
前記冷却機構部により冷却された気体が前記ランプとの間で循環することを特徴とする
ランプ冷却装置。
【請求項２】
請求項１記載のランプ冷却装置において、
前記第１及び第２のパイプは、伸縮自在なパイプとして構成したことを特徴とする
ランプ冷却装置。
【請求項３】
スクリーンに投射される像光を形成させるための光源を備えたプロジェクションディスプレイ装置において、
前記光源としてのランプと、
前記ランプに通じるランプ出口側ダクトと、
前記ランプに通じるランプ入口側ダクトと、
前記ランプ出口側ダクトの先端に設けた第１のジョイント部と、
前記ランプ入口側ダクトの先端に設けた第２のジョイント部と、
前記第１のジョイント部に一端が可動可能に接続される第1のパイプと、
前記第1のパイプの他端が可動可能に接続される第３のジョイント部と、
前記第３のジョイント部に接続されたて気体の冷却を行う冷却機構部と、
前記冷却機構部により冷却された気体を出力する出力部に接続された第４のジョイント部と、
前記第４のジョイント部に一端が可動可能に接続され、他端が前記第２のジョイント部に可動可能に接続される第２のパイプとを備え、
前記冷却機構部により冷却された気体が前記ランプとの間で循環することを特徴とする
プロジェクションディスプレイ装置。
【請求項４】
請求項３記載のプロジェクションディスプレイ装置において、
前記第１及び第２のパイプは、伸縮自在なパイプとして構成したことを特徴とする
プロジェクションディスプレイ装置。
【請求項５】
請求項３記載のプロジェクションディスプレイ装置において、
前記冷却機構部は、プロジェクションディスプレイ装置内で取り付け位置を固定させてあり、
前記ランプは、スクリーンに投影する像光の投影角度又は投射範囲の調整により取り付け位置が可変する構成としてあり、
前記投影角度又は投射範囲の調整で前記ランプの取り付け位置を可変させた場合に、前記第１、第２、第３及び第４のジョイント部で、第１又は第２のパイプの接続状態が可動することを特徴とする
プロジェクションディスプレイ装置。
【発明の詳細な説明】
【技術分野】
【０００１】
本発明は、光源として用いられるランプを冷却するためのランプ冷却装置及びこのランプ冷却装置を備えたプロジェクションディスプレイ装置に関する。
【背景技術】
【０００２】
従来、リアプロジェクションディスプレイ装置と称される映像表示装置が各種製品化されている。このリアプロジェクションディスプレイ装置は、装置の前面に透過型のスクリーンを配置し、そのスクリーンに、背面から映像を投射するものである。投射する映像としては、キセノンランプなどのランプを光源として使用して、その光源からの光を、液晶表示パネルに入射させ、その表示パネルを透過又は反射させることで、表示パネルに表示された映像に対応した像光を生成される。その生成された像光を、スクリーンの背面に入射させて、スクリーンに映像を表示させる。像光を生成させる液晶表示パネルは、原色信号ごとに個別のパネルを使用して、その各色ごとのパネルで生成された像光を合成する場合と、１枚のパネルで各色の像光を生成させる場合とがある。液晶表示パネルの代わりに、微小なミラーを個別に駆動して、光源からの光を像光とする場合もある。
【０００３】
かかるリアプロジェクションディスプレイ装置によると、光源や液晶表示パネルなどの像光生成手段を比較的小型に構成した上で、大型のスクリーンに映像を表示させることができ、大画面の映像表示装置が比較的容易に得られる。例えば、画面サイズとして５０インチ或いはそれ以上のサイズとすることが、比較的容易である。
【０００４】
特許文献１には、この種のリアプロジェクションディスプレイ装置の一例についての記載がある。また、特許文献２には、リアプロジェクションディスプレイ装置で使用されるランプとその近傍の構成の一例についての記載がある。
【特許文献１】特開平１１−８４５３３号公報
【特許文献２】特開２００３−１５７７１５号公報
【発明の開示】
【発明が解決しようとする課題】
【０００５】
ところで、リアプロジェクションディスプレイ装置の場合には、リアプロジェクションディスプレイ装置が備えるスクリーンのサイズの大型化や、表示される映像の高輝度化に対する要請があり、光源としてのランプからの出射光の高輝度化が求められている。ランプの発光輝度を高めるためには、ランプの駆動電源の高出力化が必要であり、例えば従来は１００Ｗ程度でランプを駆動するのが一般的であったが、２００Ｗの高電源でランプを駆動する場合がある。
【０００６】
このようにランプの駆動電源が高出力化すると、それだけランプの発熱量が増える問題があり、ランプの冷却機構で確実にランプを冷却することが重要になる。
【０００７】
一方、リアプロジェクションディスプレイ装置が備えるランプなどの光学系は、そのランプの出射光が、表示パネルを介してスクリーンの設置位置に正確に投射されるように、光軸を調整する必要がある。この光軸の調整は、一般には工場での製造工程で行うようにしてある。このような調整を行うために、リアプロジェクションディスプレイ装置内でのランプの設置位置は、ある程度可変できるようにしてある。
【０００８】
このようなランプの設置位置を可変できる機構とする点と、上述したランプを確実に冷却する機構を設ける点とを両立させるのは、技術的に難易度が高い問題があった。すなわち、ランプを効率よく冷却させるためには、冷却機構としてのラジエータをランプの近傍に設けて、そのラジエータとランプとをダクトで接続して、ランプで温められた空気をラジエータに送り込み、ラジエータで冷却し、その冷却された空気をランプに戻す構成として、閉じた流路を設ける必要である。ランプを冷却する空気を、閉じた流路で循環させる構成としたのは、ランプの近傍に埃や塵が入らないようにするためである。ランプの近傍の光路に埃や塵が入るようなことがあると、スクリーンに投影される映像に、塵などが映り込み、表示映像の画質が低下してしまうためである。
【０００９】
そして、投影角度や投射範囲の調整のためにランプの設置位置を可変できる機構を設けた場合、ランプを冷却する空気の流路についても、対応して可変できる機構を設ける必要があり、冷却用の構成が非常に複雑化してしまう問題があった。
【００１０】
本発明はかかる点に鑑み、投影角度や投射範囲の調整のためにランプの設置位置を可変できる機構を設けた上で、そのランプを確実かつ簡単に冷却することができるようにすることを目的とする。
【課題を解決するための手段】
【００１１】
かかる課題を解決するため本発明は、ランプに通じるランプ出口側ダクトと、ランプに通じるランプ入口側ダクトとを設ける。ランプ出口側ダクトの先端には、第１のジョイント部を設ける。ランプ入口側ダクトの先端には、第２のジョイント部を設ける。第１のジョイント部と第２のジョイント部は、それぞれ別のパイプを可動可能に接続し、そのパイプを介して、冷却機構部に接続する。そして、冷却機構部により冷却された気体がランプとの間で循環する構成とした。
【００１２】
このように構成したことで、投影角度や投射範囲の調整などのために、ランプの設置位置を調整した際には、各ジョイント部でパイプとの接続状態が可動して変化し、冷却用の気体の流路としての構成を維持した状態で、ランプなどの光学部品の設置位置を調整できるようになる。
【発明の効果】
【００１３】
本発明によれば、ランプなどの光学部品の設置位置を調整しても、冷却用の気体の流路が維持され、ランプの冷却性能を維持できる点と、投影角度や投射範囲の調整が行える機構とする点とを両立した、良好な構成とすることができる。
【発明を実施するための最良の形態】
【００１４】
以下、本発明の一実施の形態の例を、添付図面を参照して説明する。
図１は、本例のリアプロジェクションディスプレイ装置の正面側から見た斜視図を示し、図２はリアプロジェクションディスプレイ装置の背面側から見た斜視図を示す。また、図３は、リアプロジェクションディスプレイ装置の内部構成を、背面から見た斜視図である。
本例においては、このリアプロジェクションディスプレイ装置の映像表示画面を例えば５０インチとし、この奥行きを例えば３０ｃｍと薄く作製されている。
【００１５】
図１〜図３で１はリアプロジェクションディスプレイ装置を示し、リアプロジェクションディスプレイ装置１は、図１に示すように、スクリーン３を前面に備え、前面側からアウターフレーム４とカバーフレーム６、背面側からリアーカバー５が設けられる。ここで、アウターフレーム４とカバーフレーム６とリアーカバー５とがリアプロジェクションディスプレイ装置のキャビネット（外箱）を構成している。
スクリーン３は、表面が無光沢処理され裏面にレンチキュラーシートが張り付けられた前面側透明ガラスプレートと、背面の側にフレネルレンズシートが張り付けられた背面側透明ガラスプレートとが所定の間隙を保つように作製されたものである。
そして、図１に示すように、前面側のスクリーン３の周囲に矩形枠状のカバーフレーム６が配され、さらにその周囲に横長矩形枠状のアウターフレーム４が配設され、背面側にはリアーカバー５が全体を覆うように設けられる（図２参照）。
なお、図１で７はリアプロジェクションディスプレイ装置の脚部カバーである。
【００１６】
また、リアプロジェクションディスプレイ装置１の背面側に設けられるリアーカバー５には、図２に示すように、上部にミラー調整部蓋５ａが設けられるとともに、図示しない電気回路ユニットを収納する箱状凹部のカバー５ｂと、ランプハウス５８内に設けられる後述するラジエータ２００を冷却する空冷ファンユニットに対応する位置に空冷ファンカバー５ｃが設けられる。
さらに、アウターフレーム４とリアーカバー５の左右との間に形成される縦長の領域には、図２に示すように、前面側に化粧パネルを一体に設けたスピーカーユニット８，８が設けられる。
【００１７】
図３は、リアーカバー５を外した状態を示したものである。図３に示した構成について説明すると、ボトムフレーム１１の背面側に、ランプハウス５８と空冷ファンユニット５７とを含み、ランプの光を光の三原色であるＲ（赤），Ｇ（緑），Ｂ（青）に分解し図示しない３つの液晶パネルを介して３色の映像を生成したのち合成し、投影窓５１から投射する光学ユニット５０が設けられる。３つの液晶パネルとしては、本例においては反射型の液晶画像表示パネルを使用してある。なお、図３で５５は光学ユニット５０に内蔵される３つの液晶パネルの映像を制御するための投影制御回路基板である。
【００１８】
また、図３に示すように、背面側で左サイドフレーム１２とボトムフレーム１１との間に左フレームサポート１６と、右サイドフレーム１３とボトムフレーム１１との間に右フレームサポート１５とが設けられ、また、左右サイドフレーム１２，１３とボトムフレーム１１との間に、光学ユニット５０から漏れた光のスクリーン３への影響回避と補強を兼ねた遮光板１８が設けられる。
【００１９】
そして、図３に示すように、左右サイドフレーム１２，１３の上端部に曲げ加工された板金によるミラーサポート１７が設けられる。このミラーサポート１７は、その上面から見た曲げ形状が、トップフレーム１４によって台形形状の枠を形成するようになされる。そして、トップフレーム１４とミラーサポート１７との略中央に橋状にミラー固定板１９が設けられる。
【００２０】
このような構成で、スクリーン３への像光の投影原理を図４を参照して説明する。
図４は、光学ユニット５０内のミラー収納部６１（図５）内と、そのミラー収納部６１から出射した光がスクリーン３の背面に投射されるまでを示した図である。ランプからの光は、液晶パネルで反射した後に合成されて、図５に示したミラー収納部６１内の平面ミラー５２に入射される。図４では、平面ミラー５２に入射されるまでの光路については省略してある。この平面ミラー５２で光路を略９０°曲げられて凸面ミラー５３に入射する。そして、この凸面ミラー５３で反射された映像を伴う光は、非球面ミラー５４でさらに反射されて、図３に示した投影窓５１を透過して、投影ミラー３０の平面ミラー３１で反射され前面側のスクリーン３に投影するようになされる。
【００２１】
このようにしてスクリーン３へ投射する像光を生成させる光学ユニット５０は、ボトムフレーム１１に対して、設置位置を調整できる構成としてある。
即ち、光学ユニット５０は、斜視図である図５に示すように、投影窓５１を備えたミラー収納部６１と、このミラー収納部６１に一体に設けられ図示しない投影レンズを収納する投影レンズ収納部６２と、Ｒ，Ｇ，Ｂ三色の異なる映像信号を合成しカラー映像の光を投影レンズ収納部６２に対して出射する液晶投影装置６３と、光源からの光を色調整し白色光を液晶投影装置６３に供給する取り込み部６４と、この取り込み部６４に光を供給するランプ９０（図６参照）、及びミラー収納部６１の下側に設けられるベースブロック６０とから構成される。
ランプ９０は、光学ユニット５０の取り込み部６４に対してアダプタ８５を介して取付けられ、位置決めされる。そして、光学ユニット５０の液晶投影装置６３と取り込み部６４とは、図示しない位置決めピンなどにより互いに規定の位置関係を保つように予め組み立てられたのち、ベースブロック６０に位置決め固定され、ミラー収納部６１と投影レンズ収納部６２とは、一体に組み込まれた状態でベースブロック６０に位置決め固定される。
【００２２】
そして、光学ユニット５０はそのベースブロック６０が、図５に示すように、フレーム構造体のボトムフレーム１１上に設けられた回転基準である回転軸７０に回転自在に係合するように装着される。また、光学ユニット５０は、第1の弾性体である圧縮コイルばね６６が設けられた組付けピン６５が、ベースブロック６０の周辺部の３箇所に装着され、ボトムフレーム１１上で光学ユニット５０が浮くことなく回転軸７０の回りに微動できるようにしている。
すなわち、本例のリアプロジェクションディスプレイ装置では、映像の投影角度や投射範囲の調整は回転軸７０に対して光学ユニット５０のベースブロック６０を回転微動することにより行うようにしている。図５では、光学ユニット５０にランプ９０が取り付けられていない状態を示してあるが、取り込み部６４に、図６に示したアダプタ８５を介してランプ９０が取り付けられる。ランプ９０が取り付けられた状態では、映像の投影角度や投射範囲の調整を行なうことで、ランプ９０の、回転軸７０を回転中心として一体的に回転する。
ここで、組付けピン６５は、２つのワッシャ６７，６７の間に第1の弾性体である圧縮コイルばね６６が設けられ、ベースブロック６０の周辺部の３箇所に装着したとき、圧縮コイルばね６６の付勢力による大きな押付け力が生じるようにされる。そして、押え機構は、これら組付けピン６５と２つのワッシャ６７，６７と圧縮コイルばね６６とで構成される。
【００２３】
次に、ランプ９０とこのランプ９０を空冷するためのランプ冷却用の構成を、図６以降を参照して説明する。
【００２４】
図６は、光学ユニット５０の取り込み部６４に取り付けられる、ランプ９０のアダプタ８０と、その近傍の構成を示したものである。このランプ９０の部分は、図５に示した光学ユニット５０と一体的に取り付けられて、映像の投影角度や投射範囲の調整時に一体に回転するものである。これに対して、ランプ９０を冷却するラジエータ２００は、ボトムフレーム１１に固定されて、投影角度や投射範囲の調整時にも移動しない。図６では、ラジエータ２００の一部は破線で示してある。
【００２５】
図６に示したアダプタ８０は、図３に示したランプハウス５８内に位置し、そのランプハウス５８内にランプ９０を押し込んで、アダプタ８０にランプ９０を接続させる。接続させることで、アダプタ８０に用意されたコネクタ（図示せず）を介して、ランプ９０の電極が、光学ユニット５０側の電源供給路と接続される。
【００２６】
ここではランプ９０の詳細は図示していないが、ランプ９０としては、反射部材であるリフレクタ内に、光源としての発光素子（電極）が配置してあり、そのリフレクタ内に冷却用の空気を入力させる孔と、冷却用の空気を外部に出力させる孔が設けてある。冷却用の空気を外部に出力させる孔には、図６に示したダクト１０１が接続してあり、さらにダクト１０１は、筒状のダクト１０２が接続してある。ダクト１０１及び１０２は、樹脂成形で構成してある。
【００２７】
ダクト１０２の先端には、球状のジョイント部１０３が設けてある。なお、後述するジョイント部１０５，２１１，２１２についても、全て同じ形状である。球状のジョイント部１０３には、可動パイプ１１０の一端を可動可能に挿入させて、接続させてある。
【００２８】
可動パイプ１１０については、伸縮自在として構成してあると共に、両端部が球形をして、球状のジョイント部に圧入することで、ジョイント部に回動自在に接続される構成としてある。可動パイプ１１０の詳細な形状については後述する。
【００２９】
可動パイプ１１０の他端は、ラジエータ２００側のジョイント部２１１に回動自在に接続される。ジョイント部２１１は、ダクト２０１を介して金属筒２２０の上端に接続させてある。冷却機構を構成するラジエータ２００内の金属筒２２０は、アルミニュームなどの熱伝導率の高い金属材料で構成されて、内部に熱を吸収するフィンが多数配置してある。ラジエータ２００の金属筒２２０の外側には、図３に示した冷却ファンユニット５７が配置してあり、金属筒２２０の周囲の空気を外部に排出させるように機能する。金属筒２２０の下端には、送風装置２３０が接続してあり、金属筒２２０の下端から空気を吸引して、送風装置２３０に接続されたダクト２０２に空気を押し出すように機能する。
【００３０】
ダクト２０２の先端には、ジョイント部２１２が接続してある。ジョイント部２１２には、可動パイプ１２０の一端が回動自在に接続してある。可動パイプ１２０の他端は、光学ユニット５０側のダクト１０４の先端のジョイント部１０５に回動自在に接続してある。ダクト１０４は、ランプ９０の冷却用の空気を入力させる孔に接続してあり、その孔を介して、送風装置２３０側から供給された空気をランプ９０内に入力させる。
【００３１】
このように構成したことで、送風装置２３０が作動している状態では、金属筒２２０で冷却されて送風装置２３０から押し出された空気が、ダクト２０２、可動パイプ１２０、ダクト１０４を介して、ランプ９０のリフレクタ内に送られる。そして、ランプ９０のリフレクタから出力された空気は、ダクト１０１，１０２、可動パイプ１１０、ダクト２０１を介して、ラジエータ２００内の金属筒２２０に送られて、冷却される。このようにしてランプ９０を冷却させるための空気（気体）の閉路が構成される。
【００３２】
図７は、可動パイプ１１０の構成例を示した図である。本例の場合、可動パイプ１２０についても共通の構成である。可動パイプ１１０及び１２０は、樹脂で成形させた部品である。可動パイプ１１０は、３つの部材１１１，１１２，１１３を組み合わせて構成させてある。図８は、この３つの部材１１１，１１２，１１３を分解して示したものである。図９は図７の状態を側面で示した図であり、図１０は図９を断面で示した図である。これらの図に示すように、球形部材１１１と球形部材１１２とを、筒状部材１１３で接続させた構成としてある。球形部材１１１は、球状部１１１ａの内部に空洞１１１ｂを形成させてあり、空洞１１１ｂの後端に筒状部材接続部１１１ｃを構成させてある。球形部材１１２についても、球状部１１２ａの内部に空洞１１２ｂを形成させてあり、空洞１１２ｂの後端に筒状部材接続部１１２ｃを構成させてある。筒状部材１１３は、球形部材１１１の接続部１１１ｃに挿入される一端部１１３ａと、球形部材１１２の接続部１１２ｃに挿入される他端部１１３ｂと、中央のフランジ部１１３ｃとを有し、内部に空洞１１３ｄを形成させてある。各部材１１１，１１２，１１３内の空洞１１１ｂ，空洞１１２ｂ，空洞１１３ｄが、冷却用の空気の流路となる。
【００３３】
図９及び図１０に示すように、球形部材１１１内に、筒状部材１１３の一端部１１３ａを挿入することで、接続（連結）される構成としてあり、その挿入量は、図９に矢印ａで示すように自在に設定できる可動構成としてある。同様に、球形部材１１２内に、筒状部材１１３の他端部１１３ｂを挿入することで、接続される構成としてあり、その挿入量は、図９に矢印ｂで示すように自在に設定できる可動構成としてある。従って、可動パイプ１１０は伸縮自在な構成としてある。なお、本例の球形部材１１１，１１２の球状部１１１ａ，１１２ａは、所定間隔で溝を平行に設けた形状として、樹脂材料の使用量を減らしてあるが、このような溝を設けない構成としてもよい。
【００３４】
このように構成される可動パイプ１１０をジョイント部１０３及び２１１に取り付けた状態をしめしたのが、図１１である。図１１に示すように、可動パイプ１１０の球形部材１１１の球状部１１１ａを、ラジエータ側のジョイント部２１１の球形孔部２１１ａに嵌めてある。また、可動パイプ１１０の球形部材１１２の球状部１１２ａを、ランプ側のジョイント部１０３の球形孔部１０３ａに嵌めてある。各ジョイント部では、図１１に角度θ１，θ２として示すように、可動パイプ１１０となす角度を自在に調整可能に可動できる構成としてある。さらに、可動パイプ１１０そのものが、図１１に矢印ａ，ｂとして示すように伸縮自在に構成させてある。もう１つの可動パイプ１２０とジョイント部２１２，１０５との連結状態についても、図１１と同様の状態で可動できる状態である。
【００３５】
従って、リアプロジェクションディスプレイ装置内のボトムフレームに固定されたラジエータ側に接続されたダクト２０１と、スクリーンへの投影角度や投射範囲の調整のために可動できる構成としたランプ側に接続されたダクト１０３とを、可動パイプで連結させた構成としてあるが、調整でランプ側の位置が移動しても、角度θ１，θ２として示す動きと、矢印ａ，ｂとして示す動きで、ダクトとの連結状態が維持され、冷却用空気を流す閉回路構成が維持される。
【００３６】
以上説明したように本例によれば、リアプロジェクションディスプレイ装置内の光学ブロックを、スクリーンへの投射角度や投射範囲の調整のために回動できる構成としたが、その回動による調整を行っても、光学ブロックに取り付けられたランプを冷却する冷却用の空気の流路としてのダクトなどを、位置が固定されラジエータ側に常時接続させることができ、良好にランプの冷却を行うことができる。
【００３７】
なお、ここまでの実施の形態で示した各部材の形状は一例を示したものであり、同様の機能を有する部材であれば、形状などを変更してもよい。例えば、図７、図８に示した可動パイプは、３つの部材を連結して可動できる構成としたが、２つの部材を連結して可動できる構成としてもよい。
【００３８】
また、リアプロジェクションディスプレイ装置の全体構成についても、上述例では、図４などに示したように上部に投影ミラーを配置した構成のものとしたが、後方（リアカバー側）に投影ミラーを有するリアプロジェクションディスプレイ装置に適用してもよい。冷却する機構についても、図６に示したラジエータ２００以外の冷却構成としてもよい。
【図面の簡単な説明】
【００３９】
【図１】本発明の一実施の形態の例によるリアプロジェクションディスプレイ装置を前面側から見た外観斜視図である。
【図２】図１例のリアプロジェクションディスプレイ装置を背面側から見た外観斜視図である。
【図３】図１例のリアプロジェクションディスプレイ装置の内部を背面側から見た斜視図である。
【図４】本発明の一実施の形態の例によるリアプロジェクションディスプレイ装置の投影された映像の光路の例を示す説明図である。
【図５】本発明の一実施の形態の例によるリアプロジェクションディスプレイ装置の光学ユニットのフレームへの装着状態の例を説明する斜視図である。
【図６】図５例の光学ユニットに取り付けられるランプ部の構成例を示す斜視図である。
【図７】本発明の一実施の形態の例による可動パイプの例を示す斜視図である。
【図８】図７例の可動パイプを分解して示す分解斜視図である。
【図９】図７例の可動パイプを側面から示す平面図である。
【図１０】図９の断面図である。本発明の一実施の形態の例によるリアプロジェクションディスプレイ装置のランプ冷却装置の構成を説明する模式図である。
【図１１】可動パイプとジョイント部との接続状態例を示す説明図である。
【符号の説明】
【００４０】
５０…光学ユニット、９０…ランプ、１０１，１０２…ダクト、１０３…ジョイント部、１０４…ダクト、１０５…ジョイント部、１１０，１２０…可動パイプ、２００…ラジエータ、２０１，２０２…ダクト、２１１，２１２…ジョイント部、２２０…金属筒、２３０…送風装置
【図１】
2008076900.tif 000003
【図２】
2008076900.tif 000004
【図３】
2008076900.tif 000005
【図４】
2008076900.tif 000006
【図５】
2008076900.tif 000007
【図６】
2008076900.tif 000008
【図７】
2008076900.tif 000009
【図８】
2008076900.tif 000010
【図９】
2008076900.tif 000011
【図１０】
2008076900.tif 000012
【図１１】
2008076900.tif 000013